(57)【特許請求の範囲】
【請求項１】
遊技盤の遊技面を覆うガラス扉と、
外部からの電気信号に応じて所定方向に伸縮するアクチュエータと、
を備え、
前記ガラス扉は、保持枠により所定間隔を空けて保持された２枚のガラス板からなると共に、
前記アクチュエータを、前記２枚のガラス板の間に、その伸縮方向が前記２枚のガラス板の面に直交するように取り付け、
前記アクチュエータに電気信号を入力して前記２枚のガラス板を振動させることにより、該２枚のガラス板から発音させること、
を特徴とするパチンコ機。
【発明の詳細な説明】
【０００１】
【産業上の利用分野】
本発明は、パチンコ機に関し、特に発音体を備えたパチンコ機に関する。
【０００２】
【従来の技術】
従来より、パチンコ機においては、パチンコ球の入賞時や通常よりも入賞確率の高い大当り状態になった時等に、それに対応して効果音を発生させるようにしており、これによって遊技者に興趣を与えている。
【０００３】
そして、従来のパチンコ機では、例えば実公平３−１９９１４号公報にも開示されているように、パチンコ機において遊技盤の遊技面よりも下方に配設された上皿（打球補給皿）の周辺に、発音体としてのスピーカを設け、そのスピーカから効果音を発生させるようにしていた。
【０００４】
【発明が解決しようとする課題】
しかしながら、上記従来のパチンコ機では、遊技状態に応じた効果音を発生させても、遊技面とは異なった位置から音が聞こえて来ることとなるため、遊技者は、視覚的な位置感覚と聴覚的な位置感覚とがずれて、違和感を覚えてしまう。
【０００５】
特に、近年のパチンコ機では、遊技盤の遊技面に表示装置を設け、その表示装置に、遊技状態に応じた様々な画像を表示すると共に、表示する画像に応じた効果音を発生させるようにしており、これによって面白味を高めているが、上記のような位置感覚のずれによって、その効果を十分に発揮することができなかった。
【０００６】
本発明は、このような問題に鑑みなされたものであり、遊技者に対して、違和感なく興趣を与えることのできるパチンコ機を提供することを目的としている。
【０００７】
【課題を解決するための手段】
上記目的を達成するためになされた請求項１に記載の本発明は、
遊技盤の遊技面を覆うガラス扉と、
外部からの電気信号に応じて所定方向に伸縮するアクチュエータと、
を備え、
前記ガラス扉は、保持枠により所定間隔を空けて保持された２枚のガラス板からなると共に、
前記アクチュエータを、前記２枚のガラス板の間に、その伸縮方向が前記２枚のガラス板の面に直交するように取り付け、
前記アクチュエータに電気信号を入力して前記２枚のガラス板を振動させることにより、該２枚のガラス板から発音させること、
を特徴とするパチンコ機を要旨としている。
【０００９】
【作用及び発明の効果】
上記のように構成された請求項１に記載のパチンコ機においては、遊技盤の遊技面を覆うガラス扉に、外部からの電気信号に応じてガラス扉を振動させるアクチュエータが取り付けられている。そして、そのアクチュエータに電気信号を入力してガラス扉を振動させることにより、ガラス扉から発音させるようにしている。
【００１０】
つまり、請求項１に記載のパチンコ機では、従来のパチンコ機のようにスピーカを所定位置に設けて発音させるのではなく、遊技面を覆うガラス扉を振動させて発音させるようにしている。従って、このような請求項１に記載のパチンコ機によれば、遊技面から音が聞こえて来るようにすることができるため、遊技者の視覚的な位置感覚と聴覚的な位置感覚とを一致させることができる。よって、遊技者に対して、違和感なく興趣を与えることができる。
【００１１】
また、請求項１に記載のパチンコ機では、遊技盤の遊技面を覆うガラス扉が、保持枠により所定間隔を空けて保持された２枚のガラス板から構成されている。そして、外部からの電気信号に応じて所定方向に伸縮するアクチュエータを、保持枠に保持された２枚のガラス板の間に、その伸縮方向がガラス板の面に直交するように取り付けている。
【００１２】
このような請求項１に記載のパチンコ機においては、アクチュエータに電気信号を入力して、それを伸縮させれば、２枚のガラス板の相互間隔が変化されて、ガラス板が振動する。よって、請求項１に記載のパチンコ機によれば、ガラス板を簡単な構成で確実に振動させることができる。
【００１３】
また、請求項１に記載のパチンコ機によれば、アクチュエータが２枚のガラス板の間に取り付けられているため、アクチュエータが遊技者等によって外側から触られたり、また逆に、アクチュエータが遊技面に飛び交うパチンコ球の邪魔になってしまうことがない。
【００１４】
【実施例】
以下、本発明が適用された実施例のパチンコ機について説明する。
まず、図１は本実施例のパチンコ機２の前面を表す正面図である。図１において、４は、パチンコ機２の前面枠、６は、前面枠４の背後に装着された遊技盤、８は、前面枠４の透窓の内周縁に装着された縁金枠であり、１０は、縁金枠８に片開き可能に装着されて遊技盤６の表面（即ち遊技面）を覆うガラス扉である。
【００１５】
また図１において、１２は、遊技盤６の遊技面に設けられて遊技領域を形成するガイドレール、１４は、ガイドレール１２を経由して遊技領域内へ発射されるパチンコ球を貯留すると共に、入賞に応じた景品球が排出される上皿（打球補給皿）であり、１６は、上皿１４に形成された図示しない球通路が開操作されたときに、上皿１４から落下して来るパチンコ球を受ける下皿である。
【００１６】
そして、本実施例のパチンコ機２においては、遊技状態に応じた様々な効果音を発生させるための圧電アクチュエータ１８Ｌ，１８Ｒが、ガラス扉１０左右に取り付けられている。
そこで次に、ガラス扉１０の構造について図２及び図３を用いて説明する。尚、図２はガラス扉１０の構造を説明する説明図であり、（Ｂ）は（Ａ）におけるＸ−Ｘ方向の断面を表している。そして、図３は図２（Ｂ）にて二点鎖線で囲まれた部分Ｑの拡大図である。
【００１７】
図２及び図３に示すように、ガラス扉１０は、２枚のガラス板２０ａ，２０ｂと、ガラス板２０ａ，２０ｂの４つの側縁に夫々取り付けられて、ガラス板２０ａ，２０ｂを所定間隔に保持する４つの枠材２２ａ，２２ｂ，２２ｃ，２２ｄと、から構成されている。
【００１８】
各枠材２２ａ〜２２ｄは、硬質ポリウレタン等の樹脂によって長尺状に形成されており、その内側面（ガラス板２０ａ，２０ｂに取り付けられる側の面）には長手方向に沿って２本の溝２４ａ，２４ｂが平行に設けられている。よって、各枠材２２ａ〜２２ｄの断面は「Ｅ」字状になっている。
【００１９】
また、各枠材２２ａ〜２２ｄの端部は、互いを直角に組み合わせて四角形の保持枠が形成できるように、長手方向に対して４５度の角度を有している。そして更に、枠材２２ａ〜２２ｄのうち、ガラス板２０ａ，２０ｂの左側縁，下側縁，及び右側縁に夫々取り付けられる枠材２２ａ，２２ｂ，２２ｃの内部には、各圧電アクチュエータ１８Ｌ，１８Ｒから夫々伸びた信号線２６Ｌ，２６Ｒを、図２の点線で示す如く配線するための配線孔が形成されている。
【００２０】
そして、ガラス扉１０は、以下のような手順で組み立てられている。
まず、３つの枠材２２ａ，２２ｂ，２２ｃを互いに直角に組み合わせて、「Ｕ」字状にする。そして、その状態で、圧電アクチュエータ１８Ｌ，１８Ｒから伸びた信号線２６Ｌ，２６Ｒを、図２の点線で示すように枠材２２ａ，２２ｂ，２２ｃの上記配線孔に挿通して、信号線２６Ｌ，２６Ｒの先端を枠材２２ｂの左端部付近から外側へ取り出す。そしてその後、枠材２２ａ，２２ｂ，２２ｃの端部同士を接着剤によって接着固定することにより、「Ｕ」字状の枠（以下、Ｕ字枠という）を形成する。
【００２１】
次に、２枚のガラス板２０ａ，２０ｂの間に圧電アクチュエータ１８Ｌ，１８Ｒを後述するように取り付けた後、ガラス板２０ａ，２０ｂを、枠材２２ａ〜２２ｃからなるＵ字枠の溝２４ａ，２４ｂに夫々はめ込む。尚、このとき、Ｕ字枠（枠材２２ｂ）から取り出された信号線２６Ｌ，２６Ｒの先端を引っ張って、信号線２６Ｌ，２６Ｒの撓みをなくしておく。
【００２２】
最後に、枠材２２ｄを、その溝２４ａ，２４ｂに各ガラス板２０ａ，２０ｂの上側縁がはまるように取り付け、枠材２２ｄの両端部と枠材２２ａ，２２ｃの端部とを接着剤で接着することにより、当該ガラス扉１０が完成する。
そして、この完成状態において両ガラス板２０ａ，２０ｂは、保持枠を成す４つの枠材２２ａ〜２２ｄに形成された溝２４ａ，２４ｂによって、ガタが生じることなくしっかりと保持される。尚、枠材２２ａ〜２２ｄの溝２４ａ，２４ｂに接着剤を塗布しておき、ガラス板２０ａ，２０ｂと枠材２２ａ〜２２ｄとを完全に接着するようにしてもよい。
【００２３】
一方、図２に示すように、ガラス扉１０（枠材２２ｂ）から取り出された信号線２６Ｌ，２６Ｒは、圧電アクチュエータ１８Ｌ，１８Ｒを制御装置２８からの音響信号に応じて駆動するドライバ回路２９に接続される。
尚、制御装置２８は、当該パチンコ機２の入賞状態に応じて、遊技盤６の遊技面に設けられた液晶表示装置（図示せず）に様々な画像を表示させると共に、所定条件が成立すると、遊技面に設けられた電動入賞装置（図示せず）を駆動して、当該パチンコ機２を通常よりも入賞確率の高い大当り状態にする、といった制御を行うものである。そして、制御装置２８は、遊技状態や液晶表示装置に表示する画像に応じた効果音を発生するための音響信号をドライバ回路２９に出力する。また、制御回路２８及びドライバ回路２９は、当該パチンコ機２内の所定位置に設けられている。
【００２４】
次に、圧電アクチュエータ１８Ｌ，１８Ｒについて説明する。
図４に示すように、各圧電アクチュエータ１８Ｌ，１８Ｒは、ジルコン酸チタン酸鉛（ＰＺＴ）等からなる圧電素子（圧電セラミック）３０を、内部電極３２を介して多数積層し、その積層した圧電素子３０の両側に一対の外部電極３４ｐ，３４ｍを取り付ける、といった周知の構造を有している。尚、図４において、３５は絶縁体である。
【００２５】
そして、外部電極３４ｐには、上記信号線２６Ｌ，２６Ｒを構成する２本のリード線３６ｐ，３６ｍのうちの、プラス側のリード線３６ｐが接続され、外部電極３４ｍには、上記信号線２６Ｌ，２６Ｒを構成する２本のリード線３６ｐ，３６ｍのうちの、マイナス側のリード線３６ｍが接続されている。
【００２６】
この圧電アクチュエータ１８Ｌ，１８Ｒは、上記信号線２６Ｌ，２６Ｒ（リード線３６ｐ，３６ｍ）を介して外部電極３４ｐ，３４ｍに電圧を印加すると、図４の矢印方向に伸びる。よって、外部電極３４ｐ，３４ｍへの印加電圧を変化させることによって、図４の矢印方向に伸縮させることができる。
【００２７】
そして、各圧電アクチュエータ１８Ｌ，１８Ｒは、図４に示すように、上記伸縮によって互いの間隔が変化する面（図４における上面及び下面）がガラス板２０ａ，２０ｂに当接するように、２枚のガラス板２０ａ，２０ｂの間に配設され、その当接面は接着剤３８によってガラス板２０ａ，２０ｂに接着される。また、各圧電アクチュエータ１８Ｌ，１８Ｒは、図１及び図２に示すように、夫々、ガラス板２０ａ，２０ｂの左右の脇に配置される。
【００２８】
次に、このような圧電アクチュエータ１８Ｌ，１８Ｒを駆動するドライバ回路２９について説明する。
図５に示すように、ドライバ回路２９は、制御装置２８から出力された左側音響信号ＬＳを、圧電アクチュエータ１８Ｌ，１８Ｒを駆動可能な電圧レベルにまで増幅し、その増幅した信号を信号線２６Ｌのプラス側リード線３６ｐに出力する左側増幅回路４０Ｌと、制御装置２８から出力された右側音響信号ＲＳを、圧電アクチュエータ１８Ｌ，１８Ｒを駆動可能な電圧レベルにまで増幅し、その増幅した信号を信号線２６Ｒのプラス側リード線３６ｐに出力する右側増幅回路４０Ｒと、を備えている。そして、各信号線２６Ｌ，２６Ｒのマイナス側リード線３６ｍは、共に基準電位（０Ｖ）に接続されている。
【００２９】
よって、ガラス扉１０にて左側に取り付けられた圧電アクチュエータ１８Ｌの外部電極３４ｐ，３４ｍ間には、信号線２６Ｌの各リード線３６ｐ，３６ｍを介して、制御装置２８からの左側音響信号ＬＳを増幅した電圧が印加され、また同様に、ガラス扉１０にて右側に取り付けられた圧電アクチュエータ１８Ｒの外部電極３４ｐ，３４ｍ間には、信号線２６Ｒの各リード線３６ｐ，３６ｍを介して、制御装置２８からの右側音響信号ＲＳを増幅した電圧が印加される。
【００３０】
以上のように構成された本実施例のパチンコ機２においては、制御装置２８が、遊技状態や液晶表示装置での表示画像に応じた音響信号ＬＳ，ＲＳを出力すると、各圧電アクチュエータ１８Ｌ，１８Ｒが、対応する音響信号ＬＳ，ＲＳに応じて夫々伸縮し、その伸縮に伴ってガラス板２０ａ，２０ｂの相互間隔が変化される。そして、この結果、図２の一点鎖線で示すように、ガラス板２０ａ，２０ｂは、圧電アクチュエータ１８Ｌ，１８Ｒを振動源として振動し、この振動によって、ガラス板２０ａから外部（遊技者側）へ、音響信号ＬＳ，ＲＳに応じた効果音が発生する。尚、奥側のガラス板２０ｂからも音は出るが、その音は外部へ漏れ難いため、表側のガラス板２０ａから出た音が当該パチンコ機２の外部へ発せられることとなる。
【００３１】
つまり、本実施例のパチンコ機２では、従来のパチンコ機のようにスピーカを所定位置に設けて発音させるのではなく、遊技面を覆うガラス板２０ａ，２０ｂを振動させて発音させるようにしている。
従って、本実施例のパチンコ機２によれば、パチンコ遊技が展開される遊技面から音が聞こえて来るようになるため、遊技者が遊技を行う際の視覚的な位置感覚と、聴覚的な位置感覚とを一致させることができる。よって、遊技者に対して、違和感を与えることなくパチンコ遊技の面白味を提供することができる。
【００３２】
また、本実施例のパチンコ機２によれば、遊技者の耳に近いガラス板２０ａから音が発生するため、不必要に音量を大きくする必要がない。
ところで、外側のガラス板２０ａだけにアクチュエータを取り付ける場合、或いは、ガラス板が１枚しかない場合には、以下のようにすればよい。即ち、この場合には、ガラス板に固定される固定部と、その固定部に対し外部信号に応じて振動する振動部とを備えたアクチュエータを用い、振動部が固定部（ガラス板）に対して振動する際の反力によって、ガラス板を振動させればよい。
【００３３】
但し、この場合には、振動部の重量をある程度大きく設定しなければならず、振動周波数を上げたり、振動周波数を急激に変化させるのには限界がある。
これに対して、本実施例のパチンコ機２では、枠材２２ａ〜２２ｂによって所定間隔に保持された２枚のガラス板２０ａ，２０ｂの間に、その面に垂直な方向に伸縮可能な圧電アクチュエータ１８Ｌ，１８Ｒを取り付け、その圧電アクチュエータ１８Ｌ，１８Ｒを伸縮させることによって、ガラス板２０ａ，２０ｂを振動させるようにしている。
【００３４】
従って、本実施例のパチンコ機２によれば、表側のガラス板２０ａを簡単な構成で確実に振動させて音を発生させることができる。
また、本実施例のパチンコ機２によれば、圧電アクチュエータ１８Ｌ，１８Ｒが２枚のガラス板２０ａ，２０ｂの間に取り付けられているため、圧電アクチュエータ１８Ｌ，１８Ｒが遊技者等によって外側から触られたり、また逆に、圧電アクチュエータ１８Ｌ，１８Ｒが遊技面に飛び交うパチンコ球の邪魔になってしまうことがない。
【００３５】
尚、上記実施例のパチンコ機２では、圧電アクチュエータ１８Ｌ，１８Ｒを用いてガラス板２０ａ，２０ｂを振動させるようにしたが、電磁力によって伸縮する電磁アクチュエータを用いてガラス板２０ａ，２０ｂを振動させるようにしてもよい。ただ、上記圧電アクチュエータ１８Ｌ，１８Ｒは、応答速度，制御精度，及び発生応力に優れているため、制御装置２８からの音響信号ＬＳ，ＲＳに対して、より忠実な音を発生させることができるという点で有利である。
【００３６】
一方、上記パチンコ機２の効果を一層高めるために、例えば、図６に示すように、遊技者が座る椅子５０に、圧電アクチュエータ１８Ｌ，１８Ｒと協働して振動するボディソニックを取り付けておけば、パチンコ機２のガラス板２０ａからの音響と相まって、優れた音響効果を得ることができる。
【００３７】
また更に、図６に示すように、パチンコホールの床面において、椅子５０の左右後方に、リアスピーカ５２Ｌ，５２Ｒを夫々配設し、パチンコ機２のガラス板２０ａ（圧電アクチュエータ１８Ｌ，１８Ｒ）と協働させて、サラウンド音場を形成するようにしてもよい。
【００３８】
また、図７に示すように、上記実施例のパチンコ機２を背中合せに並べて構成された複数のパチンコ島６０がある場合には、例えば、丸の中の数字が「１」であるパチンコ機２（斜線を付したパチンコ機２）が大当り状態になった場合に、各パチンコ機２のガラス板２０ａを、丸の中の数字の順番（１，２，３，４，…）で発音させるように制御すれば、大当り状態になったパチンコ機２を中心として、音がパチンコホール内を渦巻状に移動していくような音響効果を実現することができる。
【００３９】
そして、このようにパチンコホール全体の音響制御を行う場合には、大当り状態になったパチンコ機２を中心として、発音するパチンコ機２が放射状に変化していくようにしてもよいし、また単に、大当り状態になったパチンコ機２から隣のパチンコ機２へと、発音するパチンコ機２が順次変化していくようにしてもよい。
【００４０】
そして更に、発音するパチンコ機２を上記のように順次変化させる場合には、音を出すパチンコ機２の上部に設けられた大当り報知用のランプ等を、音と協働して点灯させるようにしてもよい。そして、このようにすれば、何れかのパチンコ機２が大当り状態になった場合に、パチンコホール内を音と光が移動していくこととなり、遊技者の遊技意欲を一層向上させることができる。
【図面の簡単な説明】
【図１】  実施例のパチンコ機の正面図である。
【図２】  実施例のパチンコ機に設けられたガラス扉の構造を説明する説明図である。
【図３】  図２にて二点鎖線で囲まれた部分の拡大図である。
【図４】  ガラス扉に取り付けられた圧電アクチュエータを説明する説明図である。
【図５】  圧電アクチュエータを駆動するドライバ回路の構成を表すブロック図である。
【図６】  実施例のパチンコ機の効果を高めるための構成例を説明する説明図である。
【図７】  図６とは異なる他の例を説明する説明図である。
【符号の説明】
２…パチンコ機    ４…前面枠    ６…遊技盤    ８…縁金枠
１０…ガラス扉    １８Ｌ，１８Ｒ…圧電アクチュエータ
２０ａ，２０ｂ…ガラス板    ２２ａ〜２２ｄ…枠材    ２４ａ，２４ｂ…溝
２６Ｌ，２６Ｒ…信号線    ２８…制御装置    ２９…ドライバ回路
３０…圧電素子    ３４ｐ，３４ｍ…外部電極    ３６ｐ，３６ｍ…リード線
３８…接着剤
【図１】
0003931352.tif 000002
【図２】
0003931352.tif 000003
【図３】
0003931352.tif 000004
【図４】
0003931352.tif 000005
【図５】
0003931352.tif 000006
【図６】
0003931352.tif 000007
【図７】
0003931352.tif 000008